【事件の表示】
　特願２０１２−２６８３７８号「遊技機」拒絶査定不服審判事件〔平成２６年６月２６日出願公開、特開２０１４−１１３２４８〕について、次のとおり審決する。
【結　論】
　本件審判の請求は、成り立たない。
【理　由】
１　手続の経緯の概要
　本願は、平成２４年１２月７日の出願であって、平成２５年１０月１７日付けで拒絶の理由が通知され、同年１２月１３日に意見書及び手続補正書が提出されところ、同年１２月２７日付けで拒絶査定がなされ（発送日：平成２６年１月７日）、それに対し、平成２６年４月７日に拒絶査定不服審判の請求がなされると同時に手続補正書が提出され、当審にてさらに、平成２７年４月１６日付けで拒絶理由を通知したところ、同年６月５日に意見書及び手続補正書が提出されたものである。
　
２　本願発明
　本願の請求項１に係る発明（以下「本願発明」という。）は、平成２７年６月５日付け手続補正書により補正された特許請求の範囲の請求項１に記載された事項により特定される次のとおりのものである。
「遊技を制御する遊技制御手段と、
　前記遊技制御手段により制御される遊技に基づいて、遊技者の利益量を示す利益情報を記憶手段に記憶させる利益情報記憶制御手段と、
　前記利益情報記憶制御手段により前記記憶手段に記憶させた前記利益情報に基づいて、遊技用記録媒体に遊技者の利益量を示す利益情報を記憶させる遊技用記録媒体記憶制御手段と、
　遊技終了操作または遊技中断操作が実行されると、遊技媒体貸出機から前記遊技用記録媒体の排出を実行させる排出制御を行うとともに、前記記憶手段に記憶された前記利益情報又は前記遊技用記録媒体に記憶された前記利益情報に基づいて、当該利益情報が無い状態より当該利益情報が有る状態の方が目立つ表示となるように、前記排出制御によって前記遊技用記録媒体の排出が完了していることを報知することによって、前記遊技媒体貸出機から排出された前記遊技用記録媒体の持ち忘れを喚起する報知制御を行う遊技用記録媒体排出実行制御手段と、
　を備えることを特徴とする遊技機。」
　
３　刊行物に記載された発明
　当審による拒絶理由において刊行物２として提示された、本願の出願前に頒布された刊行物である特開２００２−３５３８１号公報には、図面と共に次の事項が記載されている（下線は審決にて付した。以下同じ。）。
　ア　「【０００１】
【発明の属する技術分野】本発明は、持ち玉数情報や持ち玉認識情報をカードなどの携帯型の記録媒体に記録して出玉を管理するようにしたパチンコ出玉管理システム、パチンコ遊戯台およびパチンコカードに関するものである。」
　
　イ　「【０００３】
【発明が解決しようとする課題】図示しない遊戯者は受け皿７に貯まったパチンコ玉を図示しない箱に移し、足元にその箱を置いて遊戯を続けるが、その箱はパチンコ店内を移動する他の客の通行のじゃまになっていた。また、その箱に入れられたパチンコ玉は、その箱に入れられている間は遊戯用に供せられることはなく、言わば遊んでいる状態に置かれることとなっていた。パチンコ店はこの遊んでいる状態になるパチンコ玉の数も見越して、予め大量のパチンコ玉を準備せねばならず、その購入コスト、管理コストは大きな負担となっていた。本発明は、これらの欠点を除くためになされたものである。」
　
　ウ　「【００１１】
【発明の実施の形態】以下、本発明の実施の形態について説明する。図２は本発明のパチンコ遊戯台の実施の形態を示すブロック図である。図中、細い矢印線は信号やデータの流れを示し、太い矢印線はパチンコ玉の流れを示す。
カード読み書き装置２１は
制御部２２はパチンコ遊戯台９９の制御を行なう
【００１２】
持玉計数部２４は、遊戯者が獲得したパチンコ玉の数が記録されるもので、その内容は遊戯の進行状況に応じて随時書き換えられるものである
　
　エ　「【００１６】自動スイッチ３６は、それが押されることにより、制御部２２に自動モードを認識させるためのものである。自動モードでは、持玉計数部２４に記録されている持ち玉数がゼロで、センサ２がオンではない場合に、制御部２２は玉出部２６に指令を出し、所定の数のパチンコ玉を上皿部２７へ供給するとともに、カード読み書き装置２１に指令を出し、パチンコカード１００に書き込まれている購入玉数からその所定の数を減じる。
返却スイッチ３７は、それが押されることにより、制御部２２に返却モードを認識させる
【００１７】図３は本発明のパチンコカードの実施の形態を示すブロック図である。
パチンコカード１００は
メモリブロック１（１０４）乃至メモリブロックＭ（１０５）
より構成される
各メモリブロックには
持ち玉数記録部１０９
【００２０】
持ち玉数記録部１０９は、前述のパチンコ遊戯台９９の持玉計数部２４に記録されている持ち玉数情報が適宜、あるいはパチンコカード１００がカード読み書き装置１０１から排出されるときに書き込まれるものである
　
　オ　「【００３３】「スピーカーで擬似音を発声（チンジャラ）」２４１の次の段階、「センサ２がＯＮ？」２４２でセンサ２（２８）がオンの場合、「玉出部から所定の玉数Ｃの玉を上皿部へ供給する」２４５の次の段階、「自動モード？」２４６の段階で自動モードではない場合、「玉出部から所定の玉数Ｄの玉を上皿部へ供給する」２４９の次の段階はいずれも「返却ＳＷ  ＯＮ？」２５０の段階へ進む。「返却ＳＷ  ＯＮ？」２５０の段階では、
パチンコ遊戯台９９に設けられた返却スイッチ３７が
押されている場合には「返却モード」３５０へ進む
押されている場合には「離席モード」３００へ進む
【００３４】図７に離席モードの動作シーケンスを示す。ここで離席モードの
離席とは
遊戯者が
遊戯台を一時的に離れること
遊戯ハンドルが稼動中でなければ
大当たりの抽選中
でなければ
入賞玉カウンター３０が
ゼロになっていれば
【００３５】「カードに持ち玉数と記入日時を記録する」３０４の段階では、パチンコカード１００の現在のパチンコ遊戯に使用されているメモリブロックの持ち玉数記録部１０９に、パチンコ遊戯台９９の持玉計数部２４に記録されている持ち玉数を記録し、記入日時記録部１１０に前記持ち玉数を持ち玉数記録部１０９に記録した日時を記録する。「集中管理システムへ遊戯台番号と持ち玉数と記入日時の情報を送る」３０５の段階では、遊戯中であったパチンコ遊戯台９９の遊戯台番号と、「カードに持ち玉数と記入日時を記録する」３０４の段階でパチンコカード１００に記録した持ち玉数と記入日時の情報を後述する集中管理システムへ送る。「カードの現在使用中ブロックの使用中フラグを１にする（使用中）」３０６の段階では、パチンコカード１００の現在のパチンコ遊戯に使用しているメモリブロックの使用中フラグ１０８のビットを立てて、そのメモリブロックが使用中であり、再度同じパチンコ遊戯台での遊戯に供されることを可能とする印をパチンコカード１００に入れる。「カードを排出する」３０７の段階で
パチンコカード１００をカード読み書き装置２１から排出し
表示部３５に「休憩中」や「食事中」などの表示を出す
　
　カ　「【００３９】図８に
返却モード
遊戯ハンドルが稼動中でなければ
大当たりの抽選中かどうかを判断し
なければ
入賞玉カウンター３０が
ゼロになっていれば
表示部３５に「再確認」や「本当に終了しますか？」や「確認のため、もう一度返却ＳＷを押してください」などのメッセージが出され
【００４０】「返却ＳＷ以外のＳＷがＯＮ？」３５５の段階では、返却ＳＷ３７以外のＳＷ、例えば離席ＳＷ３８が押されているかどうかを判断し、押されていれば「「再確認」の表示を消す」３５６の段階へ進み、表示部３５に出されていた「再確認」などの表示を消し、「プレイモード」２３０へ戻る。「返却ＳＷ以外のＳＷがＯＮ？」３５５の段階で返却ＳＷ３７以外のＳＷが押されていなければ、「タイマーセット」３５７の段階へ、そして「所定時間経過？」３５８の段階へ進む。「所定時間経過？」３５８の段階で予め定められた所定時間、例えば１０秒が経過していれば、「再確認」の表示を出したにもかかわらず再度返却ＳＷ３７が押されなかった、すなわち遊戯者は遊戯を終える気はないと判断して「「再確認」の表示を消す」３５６の段階へ進み、さらに「プレイモード」２３０の段階へ進む。「所定時間経過？」３５８の段階で所定時間が経過していなければ「返却ＳＷＯＮ？」３５９の段階へ進み、返却ＳＷ３７が再度押されたかどうかを判断する。押されていなければ「返却ＳＷ以外のＳＷがＯＮ？」３５５の段階へ戻る。すなわち、「返却ＳＷ以外のＳＷがＯＮ？」３５５の段階から「返却ＳＷ  ＯＮ？」３５９の段階では、
遊戯者に対して
遊戯を終える
再確認している
返却ＳＷ３７が押されている
【００４１】遊戯者の遊戯を終える意思を確認できたので、「「再確認」の表示を消す」３６０の段階で「再確認」などの表示を消し、「皿玉を計数する」３６１の段階へ進む。この段階で、図示しない玉抜きレバーを図示しない駆動装置を用いて引くことにより、上皿部２７にあるパチンコ玉を皿玉計数部２９へ送って計数し、計数した値を持玉計数部２４へ加算する。上皿部２７にパチンコ玉が残っているかどうかを観るためにはセンサ１（３３）を使用すればよい。「カードに持ち玉数と記入日時を記入する」３６２の段階では、パチンコカード１００に持玉計数部２４に記録されている持ち玉数と、持ち玉認識情報の一つであるその時点での日時を記入する。この場合、１秒単位で、あるいは０．１秒単位で記入することが望ましい。「集中管理システムへ遊戯台番号と持ち玉数と記入日時の情報を送る」３６３の段階では、パチンコカード１００が有する情報と同じ情報である遊戯台番号と持ち玉数と記入日時をパチンコ店の集中管理システムへ送る。これらの情報は例えばパチンコ店のカウンターなどにおいて、後述する集中管理システムにおけるパチンコカードの照合時に用いられる。「カードの現在使用ブロックの使用中フラグを１にする（使用中）」３６４の段階では、このパチンコ遊戯台で使用されたメモリブロックｍの使用中フラグを１にして、このメモリブロックｍが空きブロックではないことを示す情報を記入する。「カードを排出する」３６５の段階で
パチンコカード１００をカード読み書き装置２１から排出し
　
　キ　上記アないしカから、刊行物２には次の発明（以下「刊行物発明」という。）が記載されていると認められる。
　「パチンコ遊戯台９９の制御を行なう制御部２２を備え、
　制御部２２は、
　　遊戯者が獲得したパチンコ玉の数を持玉計数部２４に遊戯の進行状況に応じて随時記録し、
　　持玉計数部２４に記録されている持ち玉数情報を適宜、あるいはパチンコカード１００がカード読み書き装置１０１から排出されるときに、パチンコカード１００の持ち玉数記録部１０９に持ち玉数情報を書き込み、
　パチンコ遊戯台９９に設けられた返却スイッチ３７が押されている場合には返却モードに、離席スイッチ３８が押されている場合には離席モードになるものであって、
　返却モードでは、遊戯ハンドルが稼動中でなく、大当たりの抽選中でなく、かつ、入賞玉カウンター３０がゼロになっていれば、表示部３５に『再確認』や『本当に終了しますか？』や『確認のため、もう一度返却ＳＷを押してください』などのメッセージを出した後、返却ＳＷ３７が押されていることが再確認されると、カード読み書き装置２１からパチンコカード１００を排出し、
　離席モードでは、遊戯ハンドルが稼動中でなく、大当たりの抽選中でなく、かつ、入賞玉カウンター３０がゼロになっていれば、カード読み書き装置２１からパチンコカード１００を排出して、表示部３５に『休憩中』や『食事中』などの表示を出し、遊戯者が遊戯台を一時的に離れる、パチンコ遊戯台９９。」
　
４　対比
　本願発明と刊行物発明とを対比する（以下、刊行物発明、本願発明を、それぞれ「前者」、「後者」という。）。
　ア　前者の「パチンコ遊戯台９９の制御を行なう制御部２２」は、「パチンコ遊戯台９９の制御」により遊技の進行等を制御するものであるから、後者の「遊技を制御する遊技制御手段」に相当する。
　
　イ　前者の「遊戯者が獲得したパチンコ玉の数を持玉計数部２４に遊戯の進行状況に応じて随時記録」することと、後者における「遊技制御手段により制御される遊技に基づいて、遊技者の利益量を示す利益情報を記憶手段に記憶させる利益情報記憶制御手段」とを対比する。
　前者における「遊戯の進行状況に応じ」ること、「遊戯者が獲得したパチンコ玉の数」、「持玉計数部２４」は、それぞれ、後者における「遊技に基づ」くこと、「遊技者の利益量を示す利益情報」、「記憶手段」に相当する。
　したがって、前者における「制御部２２」は、後者における「利益情報記憶制御手段」を含むものである。
　
　ウ　前者の「制御部２２は」「持玉計数部２４に記録されている持ち玉数情報を適宜、あるいはパチンコカード１００がカード読み書き装置１０１から排出されるときに、パチンコカード１００の持ち玉数記録部１０９に持ち玉数情報を書き込」むことと、後者の「利益情報記憶制御手段により記憶手段に記憶させた利益情報に基づいて、遊技用記録媒体に遊技者の利益量を示す利益情報を記憶させる遊技用記録媒体記憶制御手段」とを対比する。
　前者における「持玉計数部２４に記録されている持ち玉数情報」、「、パチンコカード１００」、「持ち玉数情報を書き込」むことは、それぞれ、後者における「利益情報記憶制御手段により記憶手段に記憶させた利益情報」、「遊技用記録媒体」、「遊技者の利益量を示す利益情報を記憶させる」ことに相当する。
　したがって、前者における「制御部２２」は、後者における「遊技用記録媒体記憶制御手段」を含むものである。
　
　エ　前者の「パチンコ遊戯台９９に設けられた返却スイッチ３７が押されている場合には返却モードに、離席スイッチ３８が押されている場合には離席モードになるものであって、返却モードでは、遊戯ハンドルが稼動中でなく、大当たりの抽選中でなく、かつ、入賞玉カウンター３０がゼロになっていれば、表示部３５に『再確認』や『本当に終了しますか？』や『確認のため、もう一度返却ＳＷを押してください』などのメッセージを出した後、返却ＳＷ３７が押されていることが再確認されると、カード読み書き装置２１からパチンコカード１００を排出し、離席モードでは、遊戯ハンドルが稼動中でなく、大当たりの抽選中でなく、かつ、入賞玉カウンター３０がゼロになっていれば、カード読み書き装置２１からパチンコカード１００を排出して、表示部３５に『休憩中』や『食事中』などの表示を出し、遊戯者が遊戯台を一時的に離れる」ことと、後者の「遊技終了操作または遊技中断操作が実行されると、遊技媒体貸出機から前記遊技用記録媒体の排出を実行させる排出制御を行うとともに、前記記憶手段に記憶された前記利益情報又は前記遊技用記録媒体に記憶された前記利益情報に基づいて、当該利益情報が無い状態より当該利益情報が有る状態の方が目立つ表示となるように、前記排出制御によって前記遊技用記録媒体の排出が完了していることを報知することによって、前記遊技媒体貸出機から排出された前記遊技用記録媒体の持ち忘れを喚起する報知制御を行う遊技用記録媒体排出実行制御手段」とを対比する。
　前者における「返却ＳＷ３７が押されていることが再確認される」こと、「離席スイッチ３８が押されている場合」、及び「カード読み書き装置２１からパチンコカード１００を排出」することは、それぞれ、後者における「遊技終了操作」「が実行される」こと、「遊技中断操作が実行される」こと、及び「遊技媒体貸出機から遊技用記録媒体の排出を実行させる排出制御を行う」ことに相当する。
　したがって、両者は、「遊技終了操作または遊技中断操作が実行されると、遊技媒体貸出機から遊技用記録媒体の排出を実行させる排出制御を行う」ことで共通する。
　
　オ　上記アないしエから、本願発明と刊行物発明とは、
「遊技を制御する遊技制御手段と、
　前記遊技制御手段により制御される遊技に基づいて、遊技者の利益量を示す利益情報を記憶手段に記憶させる利益情報記憶制御手段と、
　前記利益情報記憶制御手段により前記記憶手段に記憶させた前記利益情報に基づいて、遊技用記録媒体に遊技者の利益量を示す利益情報を記憶させる遊技用記録媒体記憶制御手段と、
　遊技終了操作または遊技中断操作が実行されると、遊技媒体貸出機から前記遊技用記録媒体の排出を実行させる排出制御を行う遊技機。」の点で一致し、以下の点で相違する。
　
［相違点］
　遊技終了操作または遊技中断操作が実行されることにより行われる制御に関して、
　本願発明では、排出制御を行うと共に、記憶手段に記憶された利益情報又は遊技用記録媒体に記憶された利益情報に基づいて、当該利益情報が無い状態より当該利益情報が有る状態の方が目立つ表示となるように、排出制御によって遊技用記録媒体の排出が完了していることを報知することによって、遊技媒体貸出機から排出された遊技用記録媒体の持ち忘れを喚起する報知制御を行う遊技用記録媒体排出実行制御手段を備えるのに対し、
　刊行物発明では、排出制御を行うが、本願発明に係る報知制御を行うか否か明らかでない点。
　
５　当審の判断
　上記相違点について検討する。
　遊技機の技術分野において、排出制御によって遊技用記録媒体の排出が完了していることを報知することによって遊技媒体貸出機から排出された遊技用記録媒体の持ち忘れを喚起する報知制御を行うことは、本願出願前に周知の技術事項である（例えば、特開２０１１−０５０６４８号公報の段落【０５８８】、【図４２】、特開２０１０−２４６７４６号公報の段落【０４５９】、【図３２】を参照。以下「周知の技術事項１」という。）。
　そして、同じく、遊技機の技術分野において、利益情報に基づいて、当該利益情報が無い状態より当該利益情報が有る状態の方が目立つ表示となるように遊技媒体貸出機から排出された遊技用記録媒体の持ち忘れを喚起する報知制御を行うことは、本願出願前に周知の技術事項である（例えば、特開平６−２８５２３１号公報には、残高の無いカードの場合に、「カードの度数残高がない」旨をＬＥＤやスピーカ３８等により報知する（【００１５】）のに対して、残高の有るカードの場合に、残高の無いカードの場合より目立つ表示となるように、カード保持表示器２３を点滅等させてカードの排出を報知する（【００４７】）ことが記載され、特開平６−２７７３５３号公報には、残高の無いカードの場合に、「カードの度数残高がない」旨をＬＥＤやスピーカ３２等により報知する（【００１２】）のに対して、残高の有るカードの場合に、残高の無いカードの場合より目立つ表示となるように、カード保持表示器２３を点滅等させてカードの排出を報知する（【００２５】）ことが記載されている。以下「周知の技術事項２」という。）。
　また、刊行物発明は、返却モード及び離席モードにおいて、パチンコカード１００を排出する際に何らかの報知制御を行うものである。
　さらに、刊行物発明に限らず、カードを取り扱う装置において、カードの持ち忘れを防止するために、カードの持ち忘れを防止する内容の何らかの報知制御を行うことは、銀行のＡＴＭをはじめ広く知られていることであり、また、当業者にとって自明の課題である。
　してみると、パチンコカード１００の排出する際に何らかの報知制御を行う刊行物発明において、カードの持ち忘れを防止するために、上記周知の技術事項１に倣って、排出が完了していることを報知すると共に、その際に、上記周知の技術事項２に基づいて、利益情報が無い状態より利益情報が有る状態の方が目立つ表示となるようにすることは、当業者が容易になし得たものである。
　また、本願発明により奏される効果は、当業者が、刊行物発明、及び周知の技術事項から予測し得る範囲内のものであって、格別のものではない。
　
　なお、請求人は、平成２７年６月５日の意見書において、「刊行物１及び２に記載された発明を組み合わせた遊技機では、上記発明特定事項（Ｄ）を備えておらず、遊技価値が有る遊技用記録媒体を排出する場合のカード排出予告表示を目立たせることと、遊技価値が無い遊技用記録媒体を排出する場合のカード排出予告表示が他の演出をあまり阻害しないようにすることを両立することができません。」（第２頁第２４〜２７行）と主張する。
　しかしながら、請求人が主張する「遊技価値が有る遊技用記録媒体を排出する場合のカード排出予告表示を目立たせることと、遊技価値が無い遊技用記録媒体を排出する場合のカード排出予告表示が他の演出をあまり阻害しないようにすることを両立すること」ができるという効果は、上記において検討したように、刊行物発明に周知の技術事項を適用することにより奏される効果である。
　したがって、請求人の上記主張は採用できない。
　
６　むすび
　以上のとおりであるから、本願発明は、特許法第２９条第２項の規定により特許を受けることができない。
　
　よって、結論のとおり審決する。